(57)【要約】【課題】予め与えられたサイズのままでも良好に排泄液を吸収することができ、かつ、必要に応じて小さいサイズに切断して使用することもできる吸収パッドを提供する。【解決手段】吸収パッド１は、液透過性の一対の表面シート１１，１２と、一対の表面シート１１，１２の間に配置された２つの吸収体２１，２２と、を備えている。また、隣り合う吸収体２１，２２の間には、３本の弾性部材３１〜３３が設けられている。吸収体２１，２２は、弾性部材３１〜３３の収縮力により、互いに接近した状態に維持されている。このため、吸収パッド１は、着用者の尿を良好に吸収することができる。また、隣り合う吸収体２１，２２の間において、一対の表面シート１１，１２及び弾性部材３１〜３３を切断すれば、より小さい吸収パッドを得ることもできる。【選択図】図１
2011056090.tif 000002
【特許請求の範囲】
【請求項１】
着用者の排泄液を吸収する吸収パッドであって、
液透過性の一対の表面シートと、
前記一対の表面シートの間に配置された複数の吸収体と、
を備え、
隣り合う吸収体の間に、前記隣り合う吸収体の配列方向にのびる弾性部材が設けられていることを特徴とする吸収パッド。
【請求項２】
請求項１に記載の吸収パッドであって、
前記弾性部材は、前記一対の表面シートの間に設けられていることを特徴とする吸収パッド。
【請求項３】
請求項２に記載の吸収パッドであって、
前記弾性部材の両端部は、前記隣り合う吸収体に、それぞれ接合されていることを特徴とする吸収パッド。
【請求項４】
請求項３に記載の吸収パッドであって、
前記弾性部材の両端部は、前記隣り合う吸収体のそれぞれの一方の面に、接合されていることを特徴とする吸収パッド。
【請求項５】
請求項３又は請求項４に記載の吸収パッドであって、
前記弾性部材は、前記隣り合う吸収体の間において、前記一対の表面シートに接合されていないことを特徴とする吸収パッド。
【請求項６】
請求項１から請求項５までのいずれかに記載の吸収パッドであって、
前記一対の表面シートが、前記隣り合う吸収体の間において、少なくとも部分的に接合されていることを特徴とする吸収パッド。
【請求項７】
請求項１から請求項６までのいずれかに記載の吸収パッドであって、
前記隣り合う吸収体の間に、複数の前記弾性部材が、均等に配置されていることを特徴とする吸収パッド。
【請求項８】
請求項１から請求項７までのいずれかに記載の吸収パッドであって、
前記一対の表面シートに、前記隣り合う吸収体の境界に沿ってのびる弱化線が形成されていることを特徴とする吸収パッド。
【請求項９】
請求項１から請求項８までのいずれかに記載の吸収パッドであって、
前記複数の吸収体は、一列に配列されていることを特徴とする吸収パッド。
【請求項１０】
請求項１から請求項９までのいずれかに記載の吸収パッドであって、
前記複数の吸収体は、三角形状の吸収体を含むことを特徴とする吸収パッド。
【発明の詳細な説明】
【技術分野】
【０００１】
本発明は、着用者の排泄液を吸収する吸収パッドに関する。
【背景技術】
【０００２】
従来、おむつとともに使用されて、おむつによる尿の吸収を補助する吸収パッドが知られている。このような吸収パッドの例として、特許文献１には、バックシートと液透性のトップシートとの間に吸収体が配置された、使い捨て補助パッドが記載されている。また、特許文献２には、液透過性のトップシートと液不透過性のバックシートとの間に複数の吸収体を並設し、吸収体間の接合部分にミシン目を施した吸収性物品が記載されている。
【先行技術文献】
【特許文献】
【０００３】
【特許文献１】特許第４１３２４６５号公報
【特許文献２】特開２００８−７３１８７号公報
【発明の概要】
【発明が解決しようとする課題】
【０００４】
おむつによる尿の吸収を適切に補助するためには、着用者の体型や、吸収パッドを配置する部位に応じて、吸収パッドの大きさを変更することが望ましい。しかしながら、特許文献１の吸収パッドは、予め与えられたサイズのまま使用することが想定されている。このため、特許文献１の吸収パッドを小さいサイズに切断して使用することは、困難であった。
【０００５】
特許文献２の吸収性物品は、ミシン目により、各区画を他の区画から切り離しできるようになっている。しかしながら、特許文献２の吸収性物品は、区画間の接合部分に吸収体が配置されていない。このため、特許文献２の吸収性物品を、予め与えられたサイズのまま使用しようとすると、区画間の接合部分において尿の吸収力が弱い、という問題があった。
【０００６】
本発明は、このような事情に鑑みなされたものであり、予め与えられたサイズのままでも良好に排泄液を吸収することができ、かつ、必要に応じて小さいサイズに切断して使用することもできる吸収パッドを提供することを目的とする。
【課題を解決するための手段】
【０００７】
上記課題を解決するため、本願の第１発明は、着用者の排泄液を吸収する吸収パッドであって、液透過性の一対の表面シートと、前記一対の表面シートの間に配置された複数の吸収体と、を備え、隣り合う吸収体の間に、前記隣り合う吸収体の配列方向にのびる弾性部材が設けられていることを特徴とする。
【０００８】
本願の第２発明は、第１発明の吸収パッドであって、前記弾性部材は、前記一対の表面シートの間に設けられていることを特徴とする。
【０００９】
本願の第３発明は、第２発明の吸収パッドであって、前記弾性部材の両端部は、前記隣り合う吸収体に、それぞれ接合されていることを特徴とする。
【００１０】
本願の第４発明は、第３発明の吸収パッドであって、前記弾性部材の両端部は、前記隣り合う吸収体のそれぞれの一方の面に、接合されていることを特徴とする。
【００１１】
本願の第５発明は、第３発明又は第４発明の吸収パッドであって、前記弾性部材は、前記隣り合う吸収体の間において、前記一対の表面シートに接合されていないことを特徴とする。
【００１２】
本願の第６発明は、第１発明から第５発明までのいずれかの吸収パッドであって、前記一対の表面シートが、前記隣り合う吸収体の間において、少なくとも部分的に接合されていることを特徴とする。
【００１３】
本願の第７発明は、第１発明から第６発明までのいずれかの吸収パッドであって、前記隣り合う吸収体の間に、複数の前記弾性部材が、均等に配置されていることを特徴とする。
【００１４】
本願の第８発明は、第１発明から第７発明までのいずれかの吸収パッドであって、前記一対の表面シートに、前記隣り合う吸収体の境界に沿ってのびる弱化線が形成されていることを特徴とする。
【００１５】
本願の第９発明は、第１発明から第８発明までのいずれかの吸収パッドであって、前記複数の吸収体は、一列に配列されていることを特徴とする。
【００１６】
本願の第１０発明は、第１発明から第９発明までのいずれかの吸収パッドであって、前記複数の吸収体は、三角形状の吸収体を含むことを特徴とする。
【発明の効果】
【００１７】
本願の第１発明〜第１０発明によれば、隣り合う吸収体が互いに接近した状態となるため、排泄液を良好に吸収することができる。また、隣り合う吸収体の間において、一対の表面シート及び弾性部材を切断すれば、より小さい吸収パッドを得ることもできる。
【００１８】
特に、本願の第２発明によれば、弾性部材が吸収パッドの表面に露出しないため、着用者の違和感を軽減できる。
【００１９】
特に、本願の第３発明によれば、隣り合う吸収体を、よりしっかりと接近させることができる。
【００２０】
特に、本願の第４発明によれば、隣り合う吸収体の間に発生する表面シートのひだを、吸収体に対して一方の空間へ引き出された状態とすることができる。このため、吸収パッドの他方の面を着用者に宛がうようにすれば、着用者の違和感を軽減できる。
【００２１】
特に、本願の第５発明によれば、弾性部材をより自由に伸縮させることができる。また、隣り合う吸収体の間において、一対の表面シートを、より自由に湾曲させることができる。これにより、隣り合う吸収体を、より接近させることができる。また、切断後の吸収パッドの端部から、弾性部材が露出することを、防止できる。
【００２２】
特に、本願の第６発明によれば、切断後に、切断部の近傍の一対の表面シートが開いたり、切断部から吸収体が漏れ出したりすることを、防止できる。
【００２３】
特に、本願の第７発明によれば、隣り合う吸収体を、より安定して接近させることができる。
【００２４】
特に、本願の第８発明によれば、弱化線を破断することにより、一対の表面シートを容易に切断できる。
【００２５】
特に、本願の第９発明によれば、吸収体の境界部のうち、任意の箇所で、一対の表面シート及び弾性部材を切断し、所望の長さの吸収パッドを得ることができる。また、吸収パッドの切断方向が一方向のみとなるため、切断作業が容易となる。
【００２６】
特に、本願の第１０発明によれば、吸収パッドを、鋭角を含む形状に切断できる。このため、切断後の吸収パッドを、狭い隙間にフィットさせることができる。例えば、切断後の吸収パッドを、着用者の大腿部とおむつとの隙間を埋めるために、使用することができる。
【図面の簡単な説明】
【００２７】
【図１】吸収パッドの斜視図である。
【図２】吸収パッドの平面図である。
【図３】吸収パッドを図２中のIII−III位置から見た断面図である。
【図４】吸収パッドを図２中のIV−IV位置から見た断面図である。
【図５】図２中のＶ−Ｖ位置から見た間隙部１３の断面図である。
【図６】隣り合う吸収体を離間させた吸収パッドの平面図である。
【図７】間隙部を切断するときの様子を示した図である。
【図８】折り畳まれた吸収パッドの斜視図である。
【図９】間隙部にミシン目が形成された吸収パッドの平面図である。
【図１０】３つの吸収体を有する吸収パッドの平面図である。
【図１１】部分的に折り畳まれた吸収パッドの斜視図である。
【図１２】三角形状の吸収体を有する吸収パッドの平面図である。
【図１３】切断後の三角形状の吸収パッドの使用例を示した図である。
【図１４】表面シートの外側に弾性部材が設けられた吸収パッドの断面図である。
【発明を実施するための形態】
【００２８】
以下、本発明の好適な実施形態について、図面を参照しつつ説明する。
【００２９】
＜１．一実施形態に係る吸収パッド＞
図１は、本発明の一実施形態に係る吸収パッド１の斜視図である。図２は、吸収パッド１を表面シート１１側から見た平面図である。また、図３及び図４は、吸収パッド１を、図２中のIII−III位置及びIV−IV位置からそれぞれ見た断面図である。
【００３０】
この吸収パッド１は、おむつの内側に敷いたり、おむつと着用者の肌との隙間に挿し込んだりして、おむつによる尿の吸収を補助するためのものである。おむつの着用者は、おむつとともに吸収パッド１を使用することにより、おむつからの尿の漏れ（隙間漏れや伝い漏れなど）を防止することができる。
【００３１】
図１〜図４に示したように、吸収パッド１は、一対の液透過性の表面シート１１，１２と、両シート１１，１２の間に挟まれた２つの吸収体２１，２２と、３本の弾性部材３１〜３３と、を備えている。おむつの着用者から排泄された尿が、表面シート１１，１２に接触すると、当該尿は、表面シート１１，１２を透過して、吸収体２１，２２に吸収保持される。
【００３２】
表面シート１１，１２は、例えば、親水性繊維（セルロース、レーヨン、コットン等）を用いた不織布により構成される。また、表面シート１１，１２は、疎水性繊維（ポリプロピレン、ポリエチレン、ポリエステル、ポリアミド、ナイロン等）の表面を界面活性剤により処理して液透過性とした不織布により構成されていてもよい。
【００３３】
吸収体２１，２２は、それぞれ扁平な矩形状に形成されている。吸収体２１，２２は、各々の一端辺が隣り合い、全体として略同一平面上に位置するように、配置されている。吸収体２１，２２の一方の面（以下、「下面」という。）は、表面シート１２に被覆されている。また、吸収体２１，２２の他方の面（以下、「上面」という。）は、表面シート１１に被覆されている。
【００３４】
吸収体２１，２２は、例えば、顆粒状の高分子吸収体を平面状に分布させたものにより構成される。吸収体２１，２２は、粉砕したパルプ繊維やセルロース繊維などの親水性繊維の集合層に、顆粒状の高分子吸収体を混合した塊を、ティッシュペーパーなどの紙シート又は液透過性の不織布で被覆したものであってもよい。また、吸収体２１，２２は、一対の液透過性のシートの間に接着剤を介して高分子吸収体を固定した、シート状の吸収体であってもよい。
【００３５】
なお、吸収体２１，２２を、パルプ非存在の高分子吸収体により構成すれば、吸収体２１，２２を薄型化できる点で、好ましい。
【００３６】
弾性部材３１〜３３は、ポリウレタン等の弾性伸縮材料により構成された、糸状の部材である。弾性部材３１〜３３は、一対の表面シート１１，１２の間の、隣り合う吸収体２１，２２の境界部付近に、配置されている。図２に示したように、本実施形態では、３本の弾性部材３１〜３３が等間隔に配置されている。また、各弾性部材３１〜３３は、隣り合う吸収体の配列方向に沿って延びている。図３に示したように、各弾性部材３１〜３３の両端部は、接着剤４１を介して、吸収体２１，２２の下面に、それぞれ接合されている。
【００３７】
吸収パッド１に外力が与えられていない状態では、弾性部材３１〜３３の収縮力により、吸収体２１と吸収体２２とが、互いに接近した状態に維持されている。これにより、吸収体２１と吸収体２２との間の吸収力の弱い部分が縮小されている。すなわち、後述する吸収パッド１の切断を行う前には、吸収体２１と吸収体２２とが、ほぼ連続的に配置されている。このため、吸収パッド１は、着用者から排泄された尿を、良好に吸収することができる。
【００３８】
隣り合う吸収体２１，２２の間（以下、「間隙部１３」という。）には、表面シート１１，１２のひだ１３１が形成されている。ひだ１３１は、表面シート１１，１２の間隙部１３に位置する部分が、吸収パッド１の下面側へ引き出されることにより、形成されている。上述の通り、本実施形態では、弾性部材３１が、吸収体２１，２２の下面に接合されている。このため、ひだ１３１は、吸収パッド１の下面側に、安定して形成される。
【００３９】
吸収パッド１の上面は、ひだのない平らな面となる。吸収パッド１を使用するときには、吸収パッド１の上面、すなわち、表面シート１１を、着用者の肌に宛がうようにすればよい。このようにすれば、着用者の肌にひだ１３１が当たらないため、着用者の違和感が軽減される。
【００４０】
図３及び図４に示したように、吸収体２１，２２は、一対の表面シート１１，１２の間に、接着剤４１により固定されている。また、吸収パッド１の周縁部１４においては、表面シート１１，１２同士が、接着剤４１を介して、互いに接合されている。表面シート１１，１２と吸収体２１，２２との間には、周縁部１４よりも低い密度で、接着剤４１が塗布されている。これにより、表面シート１１，１２から吸収体２１，２２への尿の透過が、接着剤４１により阻まれることが、抑制されている。
【００４１】
図５は、図２中のＶ−Ｖ位置から見た間隙部１３の断面図である。図３〜図５に示したように、表面シート１１，１２は、間隙部１３においても、接着剤４１を介して互いに接合されている。ただし、図３や図５に示したように、間隙部１３のうち、各弾性部材３１〜３３の近傍部位には、接着剤４１が塗布されていない。すなわち、間隙部１３においては、弾性部材３１〜３３が、表面シート１１，１２に接合されていない。このため、各弾性部材３１〜３３は、表面シート１１，１２に規制されることなく、伸縮することができる。また、表面シート１１，１２は、より自由に湾曲してひだ１３１を形成することができる。これにより、隣り合う吸収体２１，２２を、より十分に接近させることができる。
【００４２】
使用者は、必要に応じて、吸収パッド１を切断し、小さいサイズの吸収パッドを得ることができる。吸収パッド１を切断するときには、まず、図６のように、吸収パッド１の両端部を外側に引っ張り、吸収体２１と吸収体２２とを離間させる。このとき、間隙部１３のひだ１３１は展張され、弾性部材３１〜３３は、自然長よりも伸張された状態となる。
【００４３】
その後、使用者は、図７のように、一対の表面シート１１，１２を、間隙部１３に沿って、例えばハサミで切断する。このとき、一対の表面シート１１，１２とともに、弾性部材３１〜３３も切断する。これにより、切断前の吸収パッド１より小さいサイズの、２つの吸収パッドが得られる。
【００４４】
切断されていない吸収パッド１は、例えば、おむつの内側の比較的広い領域に敷いて、使用することができる。一方、切断後の吸収パッドは、例えば、着用者とおむつとの間の小さい隙間を埋めるために、使用することができる。
【００４５】
このように、使用者は、吸収パッド１を、予め与えられたサイズのままで使用することができるとともに、小さいサイズに切断して使用することもできる。すなわち、使用者は、吸収パッドのサイズを、状況に応じて選択することができる。これにより、着用者の体型や、吸収パッドを配置する部位に応じて、適当なサイズの吸収パッドを、無駄なく使用することができる。
【００４６】
上述の通り、弾性部材３１〜３３は、間隙部１３において、表面シート１１，１２に接合されていない。このため、弾性部材３１〜３３を切断すると、各弾性部材３１〜３３は収縮し、図７中の矢印Ａのように、表面シート１１，１２の間に引き込まれる。これにより、切断後の吸収パッドの端部から、切断後の弾性部材３１〜３３の端部が露出することが、防止される。
【００４７】
また、上述の通り、一対の表面シート１１，１２は、周縁部１４において互いに接合されており、間隙部１３においても、弾性部材３１〜３３の近傍部位を除いて、互いに接合されている。このため、切断後の吸収パッドも、周縁部において表面シート１１，１２同士が接合された状態となる。したがって、切断後の吸収パッドの周縁部において、表面シート１１と表面シート１２とが開いたり、切断後の吸収パッドの周縁部から吸収体２１，２２が漏れ出したりすることが、防止される。
【００４８】
また、使用者は、吸収パッド１を切断することなく、図８に示したように、吸収パッド１を折り畳んで使用することもできる。このようにすれば、２つの吸収体２１，２２が積層配置されるため、単位面積当たりの尿の吸収能力が向上する。使用者は、例えば、尿の漏れ量が多い箇所に、吸収パッド１を折り畳んで配置することができる。
【００４９】
＜２．変形例＞
以上、本発明の一実施形態について説明したが、本発明は上記の実施形態に限定されるものではない。
【００５０】
上記の実施形態では、３本の弾性部材３１〜３３が均等に配置されていたが、弾性部材の数は３本でなくてもよく、弾性部材の間隔は均等でなくてもよい。ただし、隣り合う吸収体をより安定して接近させるためには、隣り合う吸収体の間に、複数本の弾性部材が配置されていることが望ましい。また、弾性部材の間隔は、均等であることが望ましい。
【００５１】
また、上記の実施形態では、各弾性部材３１〜３３の両端部が、吸収体２１，２２に接合されていたが、弾性部材３１〜３３の両端部は、表面シート１２に接合されていてもよい。また、弾性部材３１〜３３の両端部は、吸収体２１，２２と表面シート１２との双方に、接着剤で接合されていてもよい。ただし、隣り合う吸収体２１，２２をしっかりと接近させるためには、弾性部材３１〜３３の両端部が、少なくとも吸収体２１，２２に接合されていることが望ましい。
【００５２】
また、上記の実施形態では、糸状の弾性部材３１が使用されたが、本発明の弾性部材は、ポリウレタンフィルムや天然ゴム等の平板状の弾性部材であってもよい。
【００５３】
また、上記の実施形態では、ハサミ等を使用して吸収パッド１を切断していたが、例えば、図９の吸収パッド１Ａのように、一対の表面シート１１，１２に、予めミシン目１５が形成されていてもよい。図９の例では、ミシン目１５は、表面シート１１，１２の一方の端部から他方の端部まで、間隙部１３に沿ってのびている。このようにすれば、ミシン目１５を手動で破断し、弾性部材３１〜３３のみをハサミで切断することにより、吸収パッド１を容易に切断できる。
【００５４】
また、表面シート１１，１２に、図９のミシン目１５に代えて、他の弱化線が設けられていてもよい。弱化線は、表面シート１１，１２を部分的に弱化させて、表面シート１１，１２の切断を容易にするものであればよい。例えば、表面シート１１，１２に、ミシン目に代えて、超音波融着、熱融着、エンボス加工等による弱化線が形成されていてもよい。
【００５５】
なお、表面シート１１，１２に弱化線を設ける場合には、一対の表面シート１１，１２の繊維の配向を、弱化線に沿う方向としておくことが望ましい。このようにすれば、使用者は、一対の表面シート１１，１２を、弱化線に沿う方向に、より容易に切断できる。
【００５６】
また、上記の実施形態では、一対の表面シート１１，１２の間に、２つの吸収体２１，２２が配置されていたが、一対の表面シート１１，１２の間に、３つ以上の吸収体が配置されていてもよい。例えば、図１０の吸収パッド１Ｂのように、表面シート１１と表面シート１２との間に、３つの吸収体２１〜２３が配置されていてもよい。図１０の例では、吸収体２１と吸収体２２との間に、吸収体２１，２２の配列方向にのびる弾性部材３１〜３３が設けられている。また、吸収体２２と吸収体２３との間に、吸収体２２，２３の配列方向にのびる弾性部材３４〜３６が設けられている。
【００５７】
図１０のように、複数の吸収体を一列に配列すれば、任意の間隙部において表面シート及び弾性部材を切断することにより、所望の長さの吸収パッドを得ることができる。また、表面シートの切断方向は一方向のみとなり、かつ、切断すべき長さも一辺分のみとなるため、吸収パッドの切断作業が容易となる。
【００５８】
また、３つ以上の吸収体を配置した場合、吸収パッドを部分的に折り畳んで使用することが可能となる。図１１は、図１０の吸収パッド１Ｂを、吸収体２２と吸収体２３との間を境として折り畳んだ状態を示した斜視図である。図１１の例では、吸収パッド１Ｂに含まれる３つの吸収体２１〜２３のうち、２つの吸収体２２，２３が積層された状態となっている。このようにすれば、例えば、尿の漏れ量が多い箇所に、積層された２つの吸収体２２，２３を配置し、尿の漏れ量が少ない箇所に残りの１つの吸収体２１を配置する、といった使用の仕方が可能となる。
【００５９】
また、上記の実施形態では、平面視において矩形状の吸収体２１，２２が使用されていたが、各吸収体の形状は、矩形以外の形状であってもよい。例えば、図１２の吸収パッド１Ｃのように、表面シート１１と表面シート１２との間に、平面視において三角形状の２つの吸収体２４，２５が配置されていてもよい。
【００６０】
図１２の例では、２つの吸収体２４，２５は、平面視において略直角二等辺三角形状となっており、その斜辺同士が対向するように、配置されている。そして、吸収体２４と吸収体２５との間に、吸収体２４，２５の配列方向にのびる弾性部材３７〜３９が設けられている。
【００６１】
図１２のように、三角形状の吸収体を含むようにすれば、吸収パッドを、鋭角を含む形状に切断できる。このため、切断後の吸収パッドを、狭い隙間にフィットさせることができる。例えば、図１３に示したように、切断後の吸収パッドを、着用者の大腿部とおむつとの隙間を埋めるために、使用することができる。
【００６２】
また、上記の実施形態や変形例では、吸収パッドに含まれる複数の吸収体の形状や大きさが同じであったが、１つの吸収パッドに、形状や大きさの異なる２種類の吸収体が含まれていてもよい。例えば、１つの吸収パッドに、平面視において矩形状の吸収体と、平面視において三角形状の吸収体とが、混在していてもよい。
【００６３】
また、上記の実施形態では、弾性部材３１〜３３は、一対の表面シート１１，１２の間に配置されていたが、弾性部材３１〜３３は、表面シート１１，１２の外側に配置されていてもよい。例えば、図１４の吸収パッド１Ｄのように、表面シート１１の上面に、間隙部１３を跨ぐように、弾性部材３１が設けられていてもよい。このような形態であっても、弾性部材３１の収縮力により、吸収体２１と吸収体２２とを接近状態に維持することができる。ただし、上記の実施形態のように、弾性部材３１〜３３が、一対の表面シート１１，１２の間に配置されていれば、弾性部材３１〜３３が吸収パッド１の表面に露出しないので、着用者の違和感を軽減できる。
【００６４】
また、上記の実施形態や変形例の吸収パッドは、おむつとともに使用されて補助的に尿を吸収するものであったが、本発明の吸収パッドは、おむつとは別に使用されるものであってもよい。また、本発明の吸収パッドは、尿以外の排泄液を吸収するものであってもよい。
【００６５】
また、本発明の吸収パッドは、成人を対象としたものであってもよく、幼児を対象としたものであってもよい。
【符号の説明】
【００６６】
１，１Ａ，１Ｂ，１Ｃ，１Ｄ  吸収パッド
１１，１２  表面シート
１３  間隙部
１４  周縁部
１５  ミシン目
２１〜２５  吸収体
３１〜３９  弾性部材
４１  接着剤
１３１  ひだ
【図１】
2011056090.tif 000003
【図２】
2011056090.tif 000004
【図３】
2011056090.tif 000005
【図４】
2011056090.tif 000006
【図５】
2011056090.tif 000007
【図６】
2011056090.tif 000008
【図７】
2011056090.tif 000009
【図８】
2011056090.tif 000010
【図９】
2011056090.tif 000011
【図１０】
2011056090.tif 000012
【図１１】
2011056090.tif 000013
【図１２】
2011056090.tif 000014
【図１３】
2011056090.tif 000015
【図１４】
2011056090.tif 000016